(57)【要約】【課題】良好な受信品質を維持することが可能な無線端末を提供する。【解決手段】無線送受信部１は、無線信号を受信する。カメラ部１は、撮影を行って撮影画像を生成する撮影本体部と、撮影画像を示すカメラインタフェース信号を出力する撮影出力部とを有する。制御部４は、無線信号に関する受信特性を検出し、受信特性に基づいて、撮影出力部のドライブ能力を調整する。【選択図】図１
2013214925.tif 000002
【特許請求の範囲】
【請求項１】
無線信号を受信する通信部と、
撮影を行って撮影画像を生成する撮影本体部と、
前記撮影画像を示すカメラインタフェース信号を出力する撮影出力部と、
前記無線信号に関する受信特性を検出し、前記受信特性に基づいて、前記撮影出力部のドライブ能力を調整する制御部と、を有する無線端末。
【請求項２】
前記受信特性は、前記無線信号の受信品質を含む、請求項１に記載の無線端末。
【請求項３】
前記制御部は、前記受信品質が低いほど、前記ドライブ能力を低くする、請求項２に記載の無線端末。
【請求項４】
前記受信特性は、前記無線信号の無線周波数帯域を含む、請求項１ないし３のいずれか１項に記載の無線端末。
【請求項５】
前記制御部は、前記無線周波数帯域が予め定められた所定周波数帯域を含んでいる場合、前記ドライブ能力を低くする、請求項４に記載の無線端末。
【請求項６】
前記制御部は、前記調整されたドライブ能力に応じて、前記撮影画像の画質を変更する、請求項１ないし５のいずれか１項に記載の無線端末。
【請求項７】
前記制御部は、前記ドライブ能力が低いほど、前記画質を低くする、請求項６に記載の無線端末。
【請求項８】
前記撮影出力部は、ドライブ能力がそれぞれ異なる複数の出力バッファを有し、前記複数の出力バッファのいずれかから前記カメラインタフェース信号を出力し、
前記制御部は、前記受信特性に基づいて、前記カメラインタフェース信号を出力する出力バッファを変更することで、前記出力部のドライブ能力を調整する、請求項１ないし７のいずれか１項に記載の無線端末。
【請求項９】
撮影を行って撮影画像を生成する撮影本体部と、前記撮影画像を示すカメラインタフェース信号を出力する撮影出力部と、を有する無線端末の制御方法であって、
無線信号を受信し、
前記無線信号に関する受信特性を検出し、
前記受信特性に基づいて、前記撮影出力部のドライブ能力を調整する、制御方法。
【発明の詳細な説明】
【技術分野】
【０００１】
本発明は、無線通信中にカメラを駆動する無線端末に関し、特には、カメラで撮影された動画像を無線通信にて送信するＴＶ電話機能を有する無線端末に関する。
【背景技術】
【０００２】
近年、携帯機器のような無線通信を行う無線端末の高機能化に伴い、音声と動画像を用いて通話を行うＴＶ電話機能を有する無線端末が普及している。ＴＶ電話機能によるＴＶ電話通話は、無線端末が、通話先から送信された動画像を受信して表示するとともに、無線端末に備わったカメラで撮影した動画像をリアルタイムで通話先に送信することで実現される。
【０００３】
ＴＶ電話通話のようにカメラで撮影した動画像をリアルタイムで送信するためには、無線通信中にカメラを駆動する必要がある。しかしながら、無線通信中にカメラを駆動すると、カメラから出力されるカメラインタフェース信号の影響で、無線信号にノイズが発生して、無線通信の受信品質が劣化する可能性がある。特に、無線信号に対するカメラインタフェース信号の高調波成分によって、無線通信の受信品質が劣化しやすい。
【０００４】
カメラインタフェース信号による受信品質の劣化を軽減するための技術としては、フィルタやキャパシタのような、ノイズを軽減するためのノイズ対策部品を無線端末に追加する方法が考えられる。しかしながら、近年では、無線端末の小型化や薄膜化に伴い、電子部品が搭載されるプリント基板の小型化や薄膜化が進んでいるため、プリント基板上の電子部品の配置に対する制約が多くなっており、ノイズ対策部品をプリント基板上の適切な場所に追加することは困難になっている。
【０００５】
これに対して特許文献１には、カメラによる無線信号への影響を軽減することが可能なテレビ電話装置が記載されている。このテレビ電話装置は、無線信号の受信レベルが低い環境下において、動画像の解像度を低くして、カメラのクロック信号に含まれる高調波成分を小さくすることで、通信品質を向上させている。
【先行技術文献】
【特許文献】
【０００６】
【特許文献１】特開２０１２−００４９４４号公報
【発明の概要】
【発明が解決しようとする課題】
【０００７】
しかしながら、特許文献１に記載のテレビ電話装置では、クロック信号に含まれる高調波成分による受信品質の劣化を軽減しているが、カメラインタフェース信号による受信品質の劣化を軽減させているわけではないので、良好な受信品質を維持することができないことがある。
【０００８】
本発明の目的は、良好な受信品質を維持することが可能な無線端末および制御方法を提供することである。
【課題を解決するための手段】
【０００９】
本発明による無線端末は、無線信号を受信する通信部と、撮影を行って撮影画像を生成する撮影本体部と、前記撮影画像を示すカメラインタフェース信号を出力する撮影出力部と、前記無線信号に関する受信特性を検出し、前記受信特性に基づいて、前記撮影出力部のドライブ能力を調整する制御部と、を有する。
【００１０】
本発明による制御方法は、撮影を行って撮影画像を生成する撮影本体部と、前記撮影画像を示すカメラインタフェース信号を出力する撮影出力部と、を有する無線端末の制御方法であって、無線信号を受信し、前記無線信号に関する受信特性を検出し、前記受信特性に基づいて、前記撮影出力部のドライブ能力を調整する。
【発明の効果】
【００１１】
本発明によれば、良好な受信品質を維持することが可能になる。
【図面の簡単な説明】
【００１２】
【図１】本発明の第１の実施形態の携帯機器の構成を示すブロック図である。
【図２】カメラ部の構成の一例を示す図である。
【図３】本発明の第１の実施形態の携帯機器の動作を説明するためのフローチャートである。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の第１の実施形態の携帯機器の構成を示すブロック図である。図１に示す携帯機器１０は、無線通信機能を有する無線端末であり、無線送受信部１と、表示部２と、カメラ部３と、制御部４とを有する。
【００１５】
無線送受信部１は、無線通信を行う通信部であり、制御部４からの通信データを無線信号として送信し、また、通信先からの無線信号を通信データとして受信する。無線送受信部１は、例えば、アンテナ、アンテナを介して無線信号を送信する送信回路、および、アンテナを介して無線信号を受信する受信回路などを含む。
【００１６】
表示部２は、種々の画像を表示する。表示部２は、例えば、ＬＣＤ（liquid crystal monitor）パネルのような表示パネルと、入力された表示データが示す画像を表示パネルに表示するコントローラなどを含む。
【００１７】
カメラ部３は、撮影を行って撮影画像を生成し、その撮影画像を示す撮像データであるカメラインタフェース信号を出力する撮影部である。なお、撮影画像は、本実施形態では、動画像を想定しており、ＴＶ電話通話の際には、通話先に送信する自局画像として用いられる。また、カメラインタフェース信号は、撮影画像そのものを示すデータ信号だけでなく、データ信号の同期信号なども含むものとする。
【００１８】
また、カメラ部３は、生成する撮影画像の画質を変更することが可能であり、制御部４から設定された画質で撮影画像を生成する。なお、撮影画像の画質は、例えば、単位時間当たりのフレーム数であるフレームレートおよび各フレームの解像度の少なくとも一方で表される。
【００１９】
図２は、カメラ部３の構成の一例を示す図である。図２では、カメラ部３は、本体部３Ａと、出力部３Ｂとを有する。
【００２０】
本体部３Ａは、撮像を行って撮影画像を生成し、その撮影画像を示す内部出力信号４０１を出力部３Ｂに出力する。
【００２１】
出力部３Ｂは、ドライブ能力がそれぞれ異なる複数の出力バッファを有し、その複数の出力バッファのいずれかから、内部出力信号４０１をカメラインタフェース信号である出力信号４０２として出力する。
【００２２】
より具体的には、出力部３Ｂは、それぞれが並列に接続された出力バッファ３１１〜３１４を有するバッファ部３１と、バッファドライブ能力制御回路３２とを有する。各出力バッファ３１１〜３１４は、出力部３Ｂの後段にある負荷をドライブする回路であり、それぞれドライブ能力が異なる。なお、出力バッファは、図２では、４つ示されているが、実際には、複数であればよい。
【００２３】
各出力バッファ３１１〜３１４には、本体部３Ａから内部出力信号４０１が入力され、バッファドライブ能力制御回路３２から選択信号４０３が入力される。選択信号は、出力バッファ３１１〜３１４のいずれかを選択的にオンにする信号である。
【００２４】
各出力バッファ３１１〜３１４のうち、選択信号にて選択された出力バッファは、内部出力信号４０１を一旦保持してから出力信号４０２として制御部４に出力する。
【００２５】
バッファドライブ能力制御回路３２には、制御部４から出力部３Ｂのドライブ能力を示す制御信号４０４が入力される。バッファドライブ能力制御回路３２は、各出力バッファ３１１〜３１４とそれらのドライブ能力との対応関係を示すデータを予め保持し、そのデータを用いて、制御信号４０４が示すドライブ能力を有する出力バッファをオンにする選択信号４０３を生成して各出力バッファ３１１〜３１４に出力する。
【００２６】
図１の説明に戻る。制御部４は、無線送受信部１、表示部２およびカメラ部３と制御信号およびデータ信号（通信データ、表示データおよび撮像データなど）の送受信を行って、携帯機器１０全体を制御して、音声および動画像を用いた通話であるＴＶ電話通話を行うＴＶ電話機能などの種々の機能を実行する。制御部４は、例えば、ＣＰＵ（Central Processing Unit）、ＣＰＵの周辺回路およびメモリなどを含む。
【００２７】
ＴＶ電話通話中では、制御部４は、無線送受信部１が受信した無線信号に含まれる画像データが示す画像を表示部２に表示するとともに、カメラ部３から出力されたカメラインタフェース信号を無線信号として、無線送受信部１を介して通話先に送信する。
【００２８】
このとき、制御部４は、無線送受信部１が受信した無線信号に関する情報である受信特性を検出し、その受信特性に基づいて、カメラ部３の出力部３Ａのドライブ能力を調整する。
【００２９】
受信特性は、本実施形態では、無線信号の受信品質であるとする。受信品質は、巡回冗長検査（ＣＲＣ：Cyclic Redundancy Check）などを用いて誤り検出または誤り訂正を行うためのビットエラーレート（ＢＥＲ）、ブロックエラーレート（ＢＬＥＲ）およびフレームエラーレート（ＦＥＲ）などを想定している。
【００３０】
ドライブ能力を調整すると、制御部４は、調整したドライブ能力に応じて、カメラ部３にて生成される撮影画像の画質を調整する。
【００３１】
図３は、ＴＶ電話機能を実行した際の携帯機器１０の動作の一例を説明するためのフローチャートである。なお、以下では、カメラ部３は、図２で示した構成を有するものとする。また、カメラ部３の出力部３Ａのドライブ能力と、本体部３Ｂが生成する撮影画像の画質は、予め定められた初期値に設定されているものとする。
【００３２】
先ず、ＴＶ電話機能を実行すると、制御部４は、無線送受信部１、表示部２およびカメラ部３を駆動して、ＴＶ電話通話を開始する（ステップＳ３０１）。
【００３３】
なお、ＴＶ電話通話が開始されると、無線送受信部１は、ＴＶ電話通話の通話先から無線信号を通信データとして受信し、その通信データを制御部４に送信する。また、カメラ部３は、撮影行って撮影画像を示すカメラインタフェース信号を制御部４に送信する。制御部４は、無線送受信部１から通信データを受信し、その通信データに含まれる画像データが示す画像を表示部２に表示するとともに、カメラ部３からカメラインタフェース信号を受信し、そのカメラインタフェース信号を無線信号として、無線送受信部１を介して通話先に送信する。
【００３４】
このとき、制御部４は、無線送受信部１から無線信号を受信すると、その無線信号の受信品質を受信特性として検出し、その受信特性が予め定められた変更条件に合致するか否かを判断する（ステップＳ３０２）。変更条件は、カメラ部３の出力部３Ｂのドライブ能力を変更する条件であり、例えば、受信特性が予め定められた閾値以下であることなどである。
【００３５】
受信特性が変更条件に合致する場合、制御部４は、受信特性に基づいて出力部３Ｂのドライブ能力を決定し、その決定したドライブ能力を示す制御信号４０４を出力部３Ｂのバッファドライブ能力制御回路３２に出力する。バッファドライブ能力制御回路３２は、制御信号４０４を受信すると、制御信号４０４が示すドライブ能力を有するバッファを選択する選択信号４０３を出力バッファ３１１〜３１４に出力して、出力部３Ｂのドライブ能力を設定する（ステップＳ３０３）。
【００３６】
このとき、ドライブ能力が低いほど、カメラインタフェース信号の波形が鈍るため、無線信号に対するカメラインタフェース信号の高調波成分を減少させて、カメラインタフェース信号による無線信号への影響を小さくすることができる。したがって、良好な受信品質を維持するためには、制御部４は、受信特性が小さいほど、ドライブ能力を低くすることが望ましい。
【００３７】
ドライブ能力を変更すると、制御部４は、変更したドライブ能力に基づいて、撮影画像の画質を求め、その画質を示す制御信号である画質調整信号を本体部３Ａに出力する。本体部３Ａは、画質調整信号を受信すると、生成する撮影画像の画質を、画質調整信号が示す画質に設定する（ステップＳ３０４）。
【００３８】
このとき、ドライブ能力が低いほど、撮影画像にノイズが生じる可能性が高くなり、撮影画像の画質が高いほど、撮影画像に生じるノイズが目立つ。したがって、撮影画像に生じるノイズをできるだけ目立たせないようにするために、制御部４は、ドライブ能力が低いほど、画質を低くすることが望ましい。
【００３９】
画質調整信号を出力すると、制御部４は、ＴＶ電話通話を継続するか否かを確認する（ステップＳ３０５）。例えば、制御部４は、携帯機器１０に備わった通話終了キーが押下されたか否かを確認し、通話終了キーが押下されていない場合、ＴＶ電話通話を継続すると判断し、通話終了キーが押下された場合、ＴＶ電話通話を継続しないと判断する。
【００４０】
ＴＶ電話通話を継続する場合、制御部４は、ステップＳ３０２の処理に戻る。
【００４１】
一方、ＴＶ電話通話を継続しない場合、制御部４は、ＴＶ電話通話を終了して、出力部３Ｂのドライブ能力および本体部３Ａが生成する撮影画像の画質を初期値に戻す（ステップＳ３０６）。
【００４２】
以上説明したように本実施形態によれば、無線信号の受信特性に基づいて、カメラインタフェース信号を出力する出力部３Ｂのドライブ能力が調整されるため、受信特性に応じて、無線信号に対するカメラインタフェース信号の高調波成分を調整することが可能になる。したがって、受信特性に応じて、受信品質への影響が大きい高調波成分を調整することが可能になるので、良好な受信品質を維持することが可能になる。
【００４３】
また、本実施形態では、受信特性である受信品質が低いほど、ドライブ能力が低くなるので、受信品質が低くなった場合に、カメラインタフェースの無線信号への影響を軽減させて、受信品質を高くすることが可能になり、良好な受信品質をより正確に維持することが可能になる。
【００４４】
また、本実施形態では、ドライブ能力に応じて撮影画像の画質が調整されるので、撮影画像に生じるノイズを目立たなくさせることが可能になる。
【００４５】
また、本実施形態では、ドライブ能力が低いほど、画質が低くなるので、撮影画像に生じるノイズをより正確に目立たなくさせることが可能になる。
【００４６】
また、本実施形態では、ドライブ能力がそれぞれ異なる出力バッファのうちカメラインタフェース信号を出力する出力バッファを切り替えるだけでよいので、ノイズ対策部品を実装する場合と比較して、良好な受信品質を維持するために部品を実装する実装面積やコストを小さくすることが可能になる。
【００４７】
次に本発明の他の実施形態について説明する。
【００４８】
第１の実施形態では、制御部４が検出する受信品質（受信特性）として、ビットエラーレート、ブロックエラーレートおよびフレームエラーレートなどを想定していたが、この受信品質は、これらの例に限らず、適宜変更可能である。例えば、制御部４が検出する受信品質は、無線信号の受信電力でもよい。
【００４９】
また、無線信号に対する高調波成分がカメラインタフェース信号に含まれるか否かに応じて、カメラインタフェース信号による無線信号の受信品質への影響が大きく変化する。このため、カメラインタフェース信号の動作周波数に応じて、受信品質への影響が大きい無線信号の無線通信周波数帯が特定できることがある。
【００５０】
この場合、制御部４は、受信特性として、無線信号の無線通信周波数帯を検出し、変更条件には、無線通信周波数帯が予め定められた所定周波数帯域を有することが含まれていてもよい。なお、所定周波数帯域は、受信品質への影響が大きい無線通信周波数帯である。
【００５１】
この例では、制御部４は、例えば、無線周波数帯域が所定周波数帯域を含んでいる場合、出力部３Ｂのドライブ能力を低くすることで、良好な受信品質をより正確に維持することが可能になる。また、ドライブ能力をどの程度低くするかは、制御部４が受信品質に応じて決定してもよいし、無線周波数帯域に応じて決定してもよい。
【００５２】
以上説明した各実施形態において、図示した構成は単なる一例であって、本発明はその構成に限定されるものではない。
【００５３】
例えば、制御部４は、無線通信中にカメラ部３が駆動されるような状況であれば、ＴＶ電話通話中でなくても、出力部３Ａのドライブ能力を調整することで、良好な受信品質を維持することが可能になる。
【符号の説明】
【００５４】
１        無線送受信部
２        表示部
３        カメラ部
３Ａ      本体部
３Ｂ      出力部
４        制御部
１０      携帯機器
３１      バッファ部
３２      バッファドライブ能力制御回路
３１１〜３１４    バッファ
【図１】
2013214925.tif 000003
【図２】
2013214925.tif 000004
【図３】
2013214925.tif 000005